(57)【特許請求の範囲】
【請求項１】
保線車両に取り付けられる空転抑制装置であって、
前記保線車両の車輪よりも当該保線車両の進行方向前側に設けられ、レール上の落葉を除去する排障機構と、
前記車輪よりも前記保線車両の進行方向前側、且つ、前記排障機構よりも前記保線車両の進行方向後側に設けられ、液体を噴射してレールの頭頂面の樹脂を洗い流す液体噴射機構と、
前記車輪よりも前記保線車両の進行方向後側に設けられ、レールの頭頂面に増粘着剤を撒く増粘着剤撒き機構と、を備え、
前記増粘着剤撒き機構は、増粘着剤が貯留された貯留容器と、前記貯留容器に振動を付与する振動部とを有し、前記振動部により前記貯留容器内部の増粘着剤が固まらないように振動させながら増粘着剤を撒くことを特徴とする空転抑制装置。
【請求項２】
前記増粘着剤撒き機構は、増粘着剤が吐出される増粘着剤ノズルを有し、
前記増粘着剤ノズルは、レールの頭頂面に対して斜め上方向から増粘着剤を吐出することを特徴とする請求項１に記載の空転抑制装置。
【請求項３】
前記増粘着剤撒き機構は、前記増粘着剤ノズルから吐出される増粘着剤の飛散を抑制する飛散抑制部を有し、
前記飛散抑制部は、レールの側方に配置されてレールの頭頂面から増粘着剤がこぼれ落ちるのを抑制することを特徴とする請求項２に記載の空転抑制装置。
【請求項４】
前記増粘着剤撒き機構は、前記貯留容器内部の増粘着剤を前記増粘着剤ノズル側に送り出す送出部を有し、
前記増粘着剤ノズルは、前記送出部の稼働により所定量ずつ送り出された増粘着剤を吐出することを特徴とする請求項２又は３に記載の空転抑制装置。
【請求項５】
前記排障機構は、レールの頭頂面に接触して、この頭頂面上の落葉を除去する接触板部を有し、
前記接触板部は、レールと交わるように配置されるとともに、レールよりも外側となる端部がレールよりも内側となる端部に対して前記保線車両の進行方向後側に、且つ、レールの頭頂面に接触する下端部が上端部に対して前記保線車両の進行方向後側に位置するように傾斜していることを特徴とする請求項１〜４の何れか一項に記載の空転抑制装置。
【請求項６】
前記液体噴射機構は、液体を噴射する液体ノズルを有し、
前記液体ノズルは、レールの頭頂面及び内側面に向けて液体を放射状に拡散させて噴射することを特徴とする請求項１〜５の何れか一項に記載の空転抑制装置。
【請求項７】
鉄道車両の車輪の空転を抑制するための空転抑制方法であって、
レール上の落葉を排障機構により除去する落葉除去工程と、
前記落葉除去工程後に、液体噴射機構を用いて液体を噴射してレールの頭頂面の樹脂を洗い流す樹脂洗浄工程と、
前記樹脂洗浄工程後に、増粘着剤撒き機構を用いてレールの頭頂面に増粘着剤を撒く増粘着剤撒き工程と、
を行い、
前記増粘着剤撒き工程にて、前記増粘着剤撒き機構は、振動部により増粘着剤が貯留された貯留容器内部の増粘着剤が固まらないように振動させながら増粘着剤を撒くことを特徴とする空転抑制方法。
【請求項８】
前記排障機構、前記液体噴射機構及び前記増粘着剤撒き機構は、保線車両に取り付けられ、
前記保線車両の走行中に、前記落葉除去工程、前記樹脂洗浄工程及び前記増粘着剤撒き工程が行われることを特徴とする請求項７に記載の空転抑制方法。
【請求項９】
前記保線車両が軌道を一方向に走行中に、前記落葉除去工程及び前記樹脂洗浄工程が行われ、
前記保線車両が軌道を一方向と反対の他方向に走行中に、前記増粘着剤撒き工程が行われることを特徴とする請求項８に記載の空転抑制方法。
【発明の詳細な説明】
【技術分野】
【０００１】
本発明は、鉄道車両の車輪の空転を抑制するための空転抑制装置及び空転抑制方法に関する。
【背景技術】
【０００２】
レール上の落葉が鉄道車両の車輪で踏みつけられると、落葉の樹脂成分が車輪及びレールに付着して車輪の空転を生じさせ、ひいては輸送障害を引き起こす虞がある。
そこで、レール上の落葉を手作業で除去したり、レールの頭頂面に砂などの増粘着剤を撒き、レールに対する車輪の粘着力を向上させる手法が知られている（例えば、特許文献１参照）。
【先行技術文献】
【特許文献】
【０００３】
【特許文献１】特開平５−６５０６５号公報
【発明の概要】
【発明が解決しようとする課題】
【０００４】
ところで、レール上の落葉の除去作業は、始発前の限られた時間内に行わなければならない。また、一般的に、落葉がレールに付着し易い箇所は山間線区が多くなっている。このため、勾配の大きい山間線区での落葉の除去作業を効率良く行うためには、手作業では限界がある。
また、保線車両を用いてレールの頭頂面に砂を撒く場合、当該保線車両の車輪に対しての砂を吐出するノズルの配置によっては、レールの頭頂面に撒かれた砂が当該保線車両自身の車輪により踏まれてしまうといった問題も生じてしまう。さらに、湿気等により増粘着剤が貯留容器内で固まってしまうと、レールの頭頂面に増粘着剤を適正に撒くことができないといった問題も生じる。
【０００５】
本発明は、上記の課題を鑑みてなされたものであり、落葉が付着したレールの清掃及びレールに対する車輪の粘着力の向上を効率良く行うことができ、これにより、鉄道車両の車輪の空転を適正に抑制することができる空転抑制装置及び空転抑制方法を提供することを目的とする。
【課題を解決するための手段】
【０００６】
上記目的を達成するため、この発明は、
保線車両に取り付けられる空転抑制装置であって、
前記保線車両の車輪よりも当該保線車両の進行方向前側に設けられ、レール上の落葉を除去する排障機構と、
前記車輪よりも前記保線車両の進行方向前側、且つ、前記排障機構よりも前記保線車両の進行方向後側に設けられ、液体を噴射してレールの頭頂面の樹脂を洗い流す液体噴射機構と、
前記車輪よりも前記保線車両の進行方向後側に設けられ、レールの頭頂面に増粘着剤を撒く増粘着剤撒き機構と、を備え、
前記増粘着剤撒き機構は、増粘着剤が貯留された貯留容器と、前記貯留容器に振動を付与する振動部とを有し、前記振動部により前記貯留容器内部の増粘着剤が固まらないように振動させながら増粘着剤を撒くようにした。
【０００７】
かかる構成の空転抑制装置によれば、レール上の落葉を除去してからレールに付着した落葉の樹脂を洗浄することができ、その後、レールの頭頂面に増粘着剤を撒くことでレールに対する鉄道車両の車輪の粘着力を向上させることができる。このとき、貯留容器内部の増粘着剤が固まらないように振動させながら増粘着剤を撒くので、貯留容器内部の増粘着剤が固まってしまうことを抑制することができる。特に、例えば、液体を噴射する液体噴射機構から生じた湿気が貯留容器内部で結露して増粘着剤が固化してしまうことを適正に抑制することができ、増粘着剤を安定して撒くことができる。
したがって、落葉が付着したレールの清掃及びレールに対する車輪の粘着力の向上を効率良く行うことができ、これにより、鉄道車両の車輪の空転を適正に抑制することができる。
【０００８】
また、好ましくは、前記増粘着剤撒き機構は、増粘着剤が吐出される増粘着剤ノズルを有し、
前記増粘着剤ノズルは、レールの頭頂面に対して斜め上方向から増粘着剤を吐出するようにした。
このようにすることで、増粘着剤ノズルからレールの頭頂面に吐出された増粘着剤がレールの頭頂面から当該レールの内側や外側にこぼれ落ちることを抑制することができる。
【０００９】
また、好ましくは、前記増粘着剤撒き機構は、前記増粘着剤ノズルから吐出される増粘着剤の飛散を抑制する飛散抑制部を有し、
前記飛散抑制部は、レールの側方に配置されてレールの頭頂面から増粘着剤がこぼれ落ちるのを抑制するようにした。
このようにすることで、飛散抑制部を用いてレールの頭頂面の増粘着剤がレールの内側や外側にこぼれ落ちることを適正に抑制することができる。
【００１０】
また、好ましくは、前記増粘着剤撒き機構は、前記貯留容器内部の増粘着剤を前記増粘着剤ノズル側に送り出す送出部を有し、
前記増粘着剤ノズルは、前記送出部の稼働により所定量ずつ送り出された増粘着剤を吐出するようにした。
このようにすることで、増粘着剤ノズルから増粘着剤を所定量ずつ吐出して、レールの頭頂面に増粘着剤を均等に撒くことができる。
【００１１】
また、好ましくは、前記排障機構は、レールの頭頂面に接触して、この頭頂面上の落葉を除去する接触板部を有し、
前記接触板部は、レールと交わるように配置されるとともに、レールよりも外側となる端部がレールよりも内側となる端部に対して前記保線車両の進行方向後側に、且つ、レールの頭頂面に接触する下端部が上端部に対して前記保線車両の進行方向後側に位置するように傾斜しているようにした。
このようにすることで、レール上の落葉は接触板部によりレールの外側に落とされることとなり、レール上の落葉の除去を適正に行うことができる。
【００１２】
また、好ましくは、前記液体噴射機構は、液体を噴射する液体ノズルを有し、
前記液体ノズルは、レールの頭頂面及び内側面に向けて液体を放射状に拡散させて噴射するようにした。
このようにすることで、鉄道車両の車輪が接触するレールの頭頂面及び内側面に付着した落葉の樹脂を適正に洗い流すことができる。
【００１３】
また、この発明は、
鉄道車両の車輪の空転を抑制するための空転抑制方法であって、
レール上の落葉を排障機構により除去する落葉除去工程と、
前記落葉除去工程後に、液体噴射機構を用いて液体を噴射してレールの頭頂面の樹脂を洗い流す樹脂洗浄工程と、
前記樹脂洗浄工程後に、増粘着剤撒き機構を用いてレールの頭頂面に増粘着剤を撒く増粘着剤撒き工程と、
を行い、
前記増粘着剤撒き工程にて、前記増粘着剤撒き機構は、振動部により増粘着剤が貯留された貯留容器内部の増粘着剤が固まらないように振動させながら増粘着剤を撒くようにした。
【００１４】
かかる構成の空転抑制方法によれば、レール上の落葉を除去してからレールに付着した落葉の樹脂を洗浄することができ、その後、レールの頭頂面に増粘着剤を撒くことでレールに対する鉄道車両の車輪の粘着力を向上させることができる。このとき、貯留容器内部の増粘着剤が固まらないように振動させながら増粘着剤を撒くので、貯留容器内部の増粘着剤が固まってしまうことを抑制することができる。特に、例えば、液体を噴射する液体噴射機構から生じた湿気が貯留容器内部で結露して増粘着剤が固化してしまうことを適正に抑制することができ、増粘着剤を安定して撒くことができる。
したがって、落葉が付着したレールの清掃及びレールに対する車輪の粘着力の向上を効率良く行うことができ、これにより、鉄道車両の車輪の空転を適正に抑制することができる。
【００１５】
また、好ましくは、前記排障機構、前記液体噴射機構及び前記増粘着剤撒き機構は、保線車両に取り付けられ、
前記保線車両の走行中に、前記落葉除去工程、前記樹脂洗浄工程及び前記増粘着剤撒き工程が行われるようにした。
このようにすることで、保線車両の走行中に、レール上の落葉の除去、レールに付着した落葉の樹脂の洗浄、レールの頭頂面に増粘着剤を撒くことを効率良く行うことができる。
【００１６】
また、好ましくは、前記保線車両が軌道を一方向に走行中に、前記落葉除去工程及び前記樹脂洗浄工程が行われ、
前記保線車両が軌道を一方向と反対の他方向に走行中に、前記増粘着剤撒き工程が行われるようにした。
このようにすることで、保線車両の軌道の往復走行における往路と復路とに、落葉除去工程及び樹脂洗浄工程と増粘着剤撒き工程とを分けて効率良く行うことができる。
【発明の効果】
【００１７】
本発明によれば、落葉が付着したレールの清掃及びレールに対する車輪の粘着力の向上を効率良く行うことができ、これにより、鉄道車両の車輪の空転を適正に抑制することができる。
【図面の簡単な説明】
【００１８】
【図１】本実施形態の空転抑制装置が搭載された投排雪保守用車を模式的に示す側面図である。
【図２】図１の空転抑制装置の排障機構を説明するための図である。
【図３】図１の空転抑制装置の液体噴射機構を説明するための図である。
【図４】図１の空転抑制装置の増粘着剤撒き機構の貯留容器、振動部及び送出部を説明するための図である。
【図５】図４の送出部の計量シャフトを説明するための図である。
【図６】図１の空転抑制装置の増粘着剤撒き機構の増粘着剤ノズル及び飛散抑制部を説明するための図である。
【発明を実施するための形態】
【００１９】
以下、図面を参照して、本発明に係る空転抑制装置１００の実施形態について詳細に説明する。ただし、以下に述べる実施形態には、本発明を実施するために技術的に好ましい種々の限定が付されているが、本発明の範囲を以下の実施形態及び図示例に限定するものではない。
【００２０】
図１は、空転抑制装置１００が搭載された投排雪保守用車２００を模式的に示す側面図である。
本実施形態の空転抑制装置１００は、例えば、電車や気動車等の鉄道車両（図示略）の車輪の空転を抑制するための空転抑制方法を実現するために用いられる。
図１に示すように、空転抑制装置１００は、投排雪保守用車（保線車両）２００の前後方向（図１における左右方向）の両端にそれぞれ搭載され、具体的には、レールＲ上の落葉を除去する排障機構１と、液体（例えば、水等）を噴射してレールＲの頭頂面の樹脂を洗い流す液体噴射機構２と、レールＲの頭頂面に増粘着剤（例えば、焼砂等）を撒く増粘着剤撒き機構３とを備えている。
なお、以下の説明では、投排雪保守用車２００の進行方向を前後方向とし、二本のレールＲ、Ｒの並び方向を左右方向とし、前後方向及び左右方向に直交する方向を上下方向とする。
【００２１】
先ず、投排雪保守用車２００について説明する。
図１に示す投排雪保守用車２００は、例えば、車両本体２１０の当該投排雪保守用車２００の進行方向前側及び後側に、ラッセル装置及びロータリー装置の両方が装備された併用翼部２２０をそれぞれ備えている。すなわち、併用翼部２２０、２２０は、車両本体２１０の車輪よりも当該投排雪保守用車２００の進行方向前側及び後側に設けられている。
そして、例えば、投排雪保守用車２００が一方向（例えば、図１における左方向等）を進行方向として軌道を走行する場合には、この走行時に進行方向前側となる一端側（例えば、左側等）の併用翼部２２０を用いて保線作業が行われる一方で、他方向（例えば、図１における右方向等）を進行方向として軌道を走行する場合には、この走行時に進行方向前側となる他端側（例えば、右側等）の併用翼部２２０を用いて保線作業が行われる。
【００２２】
併用翼部２２０の各々には、排障機構１及び液体噴射機構２がそれぞれ搭載され、また、車両本体２１０の各併用翼部２２０側の端部（例えば、図１における左右両端部）に増粘着剤撒き機構３がそれぞれ搭載されている。
【００２３】
なお、投排雪保守用車２００は、本実施形態の空転抑制装置１００を搭載している以外の点で公知のものと同様であり、当該投排雪保守用車２００の詳細な構成についての説明は省略する。
また、保線車両として、投排雪保守用車２００を例示したが、一例であってこれに限られるものではなく、投排雪保守用車２００以外の保線車両であっても良い。
【００２４】
次に、排障機構１について図２（ａ）及び図２（ｂ）を参照して説明する。
図２（ａ）は、排障機構１を側方から視て示した図であり、図２（ｂ）は、排障機構１を上方から視て示した図である。
【００２５】
排障機構１は、投排雪保守用車２００の進行方向前側及び後側に位置する二つの併用翼部２２０、２２０の各々の前後方向の略中央部にそれぞれ配設されている（図１参照）。
すなわち、各排障機構１は、投排雪保守用車２００の車輪よりも当該投排雪保守用車２００の進行方向前側に設けられている。例えば、投排雪保守用車２００が軌道を一方向（例えば、図１における左方向等）に走行する場合には、この走行時に進行方向前側となる一端側（例えば、左側等）の排障機構１を用いてレールＲ上の落葉を除去する作業（落葉除去工程）が行われる。一方、投排雪保守用車２００が軌道を他方向（例えば、図１における右方向等）に走行する場合には、この走行時に進行方向前側となる他端側（例えば、右側等）の排障機構１を用いてレールＲ上の落葉を除去する作業が行われる。
【００２６】
また、図２（ａ）及び図２（ｂ）に示すように、排障機構１は、レールＲの頭頂面に接触して、この頭頂面上の落葉を除去する接触板部１１を有している。この接触板部１１は、二本のレールＲ、Ｒの各々に対応するように左右方向に所定間隔を空けて配設されている。
【００２７】
また、接触板１１は、例えば、全域に亘って略等しい厚さを有し、外形が略矩形状に形成された板状の部材である。この接触板１１は、例えば、レールＲとの間に落葉を巻き込み難くするように硬質のウレタンからなる部材であるが、一例であってこれに限られるものではなく、当該接触板１１の材料は適宜任意に変更可能である。
【００２８】
また、接触板１１は、レールＲと交わるように配置される。この接触板１１のレールＲと交わる方向の幅は、例えば、急曲線区間であっても当該接触板１１がレールＲの頭頂面から外れてレールＲとの接触が解除されない程度の幅（例えば、５００mm等）を有している。
また、接触板１１は、レールＲよりも外側に位置する外側端部１１ｏがレールＲよりも内側に位置する内側端部１１ｉに対して投排雪保守用車２００の進行方向後側に位置するように傾斜して配置されている（図２（ｂ）参照）。さらに、接触板１１は、レールＲの頭頂面に接触する下端部１１ｂが上端部１１ｕに対して投排雪保守用車２００の進行方向後側に位置するように傾斜して配置されている（図２（ａ）参照）。
これにより、投排雪保守用車２００がレールＲ上を一方向に走行すると、排障機構１の接触板１１がレールＲの頭頂面を摺動し、レールＲ上の落葉をかき集めたりレールＲの頭頂面に付着している落葉を削りとったりする。そして、レールＲ上の落葉は、傾斜している接触板１１に沿って移動してレールＲの外側に落とされ、除去される。
【００２９】
なお、図示は省略するが、接触板部１１は上下動可能となっており、例えば、レールＲ上の落葉を除去する作業（落葉除去工程）や後述するレールＲの頭頂面の樹脂を洗い流す作業（樹脂洗浄工程）の終了後、増粘着剤を撒く作業の際にはレールＲとの接触が解除されるように、当該接触板１１は上側に退避される。
【００３０】
次に、液体噴射機構２について図３を参照して説明する。
図３は、液体噴射機構２の液体ノズル２１を斜め上方から視て示した図である。
【００３１】
液体噴射機構２は、投排雪保守用車２００の進行方向前側及び後側に位置する二つの併用翼部２２０、２２０の各々の基端部側（車両本体２１０側）にそれぞれ配設されている。
すなわち、各液体噴射機構２は、投排雪保守用車２００の車輪よりも当該投排雪保守用車２００の進行方向前側、且つ、排障機構１よりも投排雪保守用車２００の進行方向後側に設けられている。そして、各液体噴射機構２は、落葉除去工程にて排障機構１により落葉が除去されたレールＲに液体を噴射してレールＲの頭頂面の樹脂を洗い流す作業（樹脂洗浄工程）を行う。
例えば、投排雪保守用車２００が軌道を一方向（例えば、図１における左方向等）に走行する場合には、この走行時に進行方向前側となる一端側（例えば、左側等）の液体噴射機構２を用いて、落葉除去工程により落葉が除去されたレールＲの頭頂面の樹脂を洗い流す作業が行われる。一方、投排雪保守用車２００が軌道を他方向（例えば、図１における右方向等）に走行する場合には、この走行時に進行方向前側となる他端側（例えば、右側等）の液体噴射機構２を用いて、落葉除去工程により落葉が除去されたレールＲの頭頂面の樹脂を洗い流す作業が行われる。
【００３２】
また、液体噴射機構２は、図３に示すように、液体（例えば、水等）を放射状に拡散させて噴射する液体ノズル２１を有している。
液体ノズル２１は、二本のレールＲ、Ｒの各々に対応するように左右方向に所定間隔を空けて配設されている。
ここで、液体ノズル２１の配置は、例えば、液体を拡散させる角度やレールＲとの距離等に応じて調整されるようになっているが、一例であってこれに限られるものではなく、液体ノズル２１の配置を固定した上で、液体を拡散させる角度を調整するようにしても良い。
【００３３】
そして、ポンプ（図示略）が稼働することにより、所定位置（例えば、併用翼部２２０の基端部等）に配設されている液体タンク（図示略）に貯留されている液体をパイプ２２を介して液体ノズル２１に供給する。液体ノズル２１は、投排雪保守用車２００や鉄道車両の車輪が接触するレールＲの頭頂面及び内側面に向けて所定の圧力で液体を放射状に拡散させて噴射する。これにより、レールＲの頭頂面に付着している落葉の樹脂を洗い流したり、排障機構１の接触板１１により除去されずに残っているレールＲ上の落葉をレールＲの外側にはじき飛ばしたりする。
ここで、液体としては、水が挙げられるが、一例であってこれに限られるものではなく、例えば、所定の濃度で洗浄作用を有する成分が溶解した溶液等であっても良い。また、液体を噴射する圧力は、例えば、レールＲに付着した落葉の樹脂の付着度合や当該樹脂洗浄工程を行う頻度等を考慮して適宜任意に変更可能である。
【００３４】
なお、図示は省略するが、液体噴射機構２は、噴射される液体を所定の温度で保温するための保温手段（例えば、ヒーター等）を具備していても良い。
【００３５】
次に、増粘着剤撒き機構３について図４〜図６を参照して説明する。
図４は、増粘着剤撒き機構３の貯留容器３１、振動部３２及び送出部３３を前後方向に視て模式的に示す図である。また、図５は、送出部３３の計量シャフト３３１を示す斜視図である。また、図６は、増粘着剤撒き機構３の増粘着剤ノズル３４及び飛散抑制部３５を側方から視て示す図である。
【００３６】
増粘着剤撒き機構３は、車両本体２１０の投排雪保守用車２００の進行方向前側及び後側の車輪よりも併用翼部２２０側にそれぞれ配設されている。すなわち、増粘着剤撒き機構３は、車両本体２１０の車輪よりも投排雪保守用車２００の進行方向後側に設けられ、樹脂洗浄工程にて液体噴射機構２により落葉の樹脂が洗い流されたレールＲの頭頂面に増粘着剤を撒く作業（増粘着剤撒き工程）を行う。
具体的には、例えば、投排雪保守用車２００が軌道を一方向（例えば、図１における左方向等）に走行する際に落葉除去工程及び樹脂洗浄工程を行い、折り返して同一の軌道を他方向（例えば、図１における右方向等）に走行する際に増粘着剤撒き工程を行う場合には、この他方向への走行時に進行方向後側となる一端側（例えば、左側等）の増粘着剤撒き機構３を用いて、樹脂洗浄工程により落葉の樹脂が洗い流されたレールＲの頭頂面に増粘着剤を撒く作業が行われる。
一方、例えば、投排雪保守用車２００が軌道を一方向（例えば、図１における左方向等）に走行する際に落葉除去工程及び樹脂洗浄工程に加えて増粘着剤撒き工程を行う場合には、この一方向への走行時に進行方向後側となる他端側（例えば、右側等）の増粘着剤撒き機構３を用いて、樹脂洗浄工程により落葉の樹脂が洗い流されたレールＲの頭頂面に増粘着剤を撒く作業が行われる。
【００３７】
また、増粘着剤撒き機構３は、図４〜図６に示すように、増粘着剤が貯留された貯留容器３１と、貯留容器３１に振動を付与する振動部３２と、貯留容器３１内の増粘着剤を所定量ずつ送り出す送出部３３と、送出部３３の稼働により所定量ずつ送り出された増粘着剤（例えば、焼砂等）を吐出する増粘着剤ノズル３４と、増粘着剤ノズル３４から吐出される増粘着剤の飛散を抑制する飛散抑制部３５とを備えている。
【００３８】
貯留容器３１、送出部３３、増粘着剤ノズル３４及び飛散抑制部３５は、二本のレールＲ、Ｒの各々に対応させるように二つずつ設けられている。
二つの貯留容器３１、３１は、車両本体２１０の所定位置（例えば、運転室の床下部等）に左右方向に所定間隔を空けて配設されている。また、各貯留容器３１は、例えば、上端及び下端が開口するとともに上端に対して下端の開口面積が小さくされた略漏斗状に形成されている。
また、図４に示すように、各貯留容器３１の外面には、貯留容器３１を振動させるための振動部３２が接続されている。
【００３９】
振動部３２は、振動を発生する振動モータ３２１と、この振動モータ３２１により発生された振動を二つの貯留容器３１、３１に伝達する伝達フレーム３２２とを具備している。
振動モータ３２１は、二つの貯留容器３１、３１どうしの間に配設されている。伝達フレーム３２２は、左右方向に長尺な部材であり、その略中央部に振動モータ３２１が取付け固定されているとともに、左右両端側が各貯留容器３１の外面に締結されている。
これにより、振動モータ３２１の駆動により発生した振動が伝達フレーム３２２を介して二つの貯留容器３１、３１に伝達されるようになっている。
【００４０】
また、各貯留容器３１の下側には、送出部３３がそれぞれ設けられている。具体的には、例えば、各貯留容器３１の下端部にはパイプ３６が接続され、このパイプ３６との継ぎ目部分に、送出部３３が設けられている。
二つの送出部３３、３３は、二つの貯留容器３１、３１の各々の位置に対応させるように左右方向に所定間隔を空けて配設されている。また、各送出部３３は、増粘着剤を計量するための計量シャフト３３１と、この計量シャフト３３１を長手方向の軸周り回転させる回転モータ３３２とを具備している。
【００４１】
計量シャフト３３１は、図５に示すように、左右方向に長尺に形成された軸部３３１ａを有している。
軸部３３１ａは、例えば、円柱状の金属（例えば、ステンレス等）を成形してなり、一端部に回転モータ３３２が接続される接続部３３１ｂが設けられている。また、軸部３３１ａの長手方向の略中央部が他の部分に対して小径となるように成形され、この小径軸部分３３１ｃに複数の板状部３３１ｄ、…が接続固定されている。
【００４２】
板状部３３１ｄは、例えば、左右方向に長尺で略等しい厚さを有する樹脂製の部材である。また、複数の板状部３３１ｄ、…は、小径軸部分３３１ｃに放射状に配置されている。具体的には、複数の板状部３３１ｄ、…は、各板状部３３１ｄの短辺が小径軸部分３３１ｃの径方向に延在し、且つ、小径軸部分３３１ｃの周方向に所定間隔（例えば、９０°等）を空けて配置されている。これにより、複数の板状部３３１ｄ、…のうち、隣り合う二つの板状部３３１ｄ、３３１ｄにより仕切られた溝部３３１ｅが形成され、この溝部３３１ｅにより増粘着剤が所定量ずつ計量される。
すなわち、回転モータ３３２の駆動により計量シャフト３３１が回転すると、貯留容器３１内から自由落下された増粘着剤が、計量シャフト３３１の貯留容器３１の下端開口と対向する溝部３３１ｅにより所定量ずつ計量される。そして、所定量の増粘着剤を計量した溝部３３１ｅをさらに所定の角度（例えば、１８０°）回転させるように計量シャフト３３１が回転することで、溝部３３１ｅ内の所定量の増粘着剤が増粘着剤ノズル３４と接続されたパイプ３６側に自由落下により送り出される。このとき、樹脂製の板状部３３１ｄは、可撓性を有するので、計量シャフト３３１と貯留容器３１との間の部分に存する増粘着剤が詰まってしまい当該計量シャフト３３１の回転停止等が生じることを抑制することができる。
ここで、増粘着剤としては、焼砂が挙げられるが、一例であってこれに限られるものではなく、レールＲと車輪との間に介在してレールＲに対する車輪の粘着力を向上させるための粉状物や粒状物等であれば如何なるものであっても良い。
【００４３】
なお、計量シャフト３３１の寸法は、略直上に配置される貯留容器３１の下端開口の寸法に対応している。
例えば、小径軸部分３３１ｃ及び板状部３３１ｄの左右方向の長さは、貯留容器３１の下端開口の左右方向の長さと等しいか、或いは、その長さよりも長くなっている。また、計量シャフト３３１の小径軸部分３３１ｃ及び板状部３３１ｄの部分の前後方向の長さは、貯留容器３１の下端開口の前後方向の長さと等しいか、或いは、その長さよりも長くなっている。
【００４４】
増粘着剤ノズル３４は、二本のレールＲ、Ｒの各々に対応するように左右方向に所定間隔を空けて配設されている。
各増粘着剤ノズル３４は、各レールＲの頭頂面の略直上に配置され、レールＲの頭頂面に対して斜め上方向から増粘着剤を吐出するように傾斜している。具体的には、増粘着剤ノズル３４は、送出部３３側となる上端部に対して吐出口を形成する下端部が投排雪保守用車２００の進行方向後側に位置するように傾斜して配置されている（図６参照）。
これにより、送出部３３からパイプ３６を介して送り出された増粘着剤が増粘着剤ノズル３４の下端部からレールＲの頭頂面に対して斜め上方向から吐出されて、レールＲの頭頂面に撒かれる。
【００４５】
飛散抑制部３５は、二本のレールＲ、Ｒの各々に対応する二つの増粘着剤ノズル３４、３４に対応させて配設されている。具体的には、各飛散抑制部３５は、増粘着剤ノズル３４よりも投排雪保守用車２００の進行方向後側に位置するように配設されている。
また、飛散抑制部３５は、例えば、レールＲの内側及び外側の各々に配置されるゴム製の内側板部３５１及び外側板部３５２を有している。内側板部３５１及び外側板部３５２は、レールＲの頭頂面の左右方向の幅に対応させて所定間隔を空けて配置されている。具体的には、内側板部３５１のレールＲ側の面がレールＲの頭部の内側面に接触するとともに、外側板部３５２のレールＲ側の面がレールＲの頭部の外側面に接触する程度の間隔となっている。
つまり、増粘着剤ノズル３４から増粘着剤が吐出される際に、レールＲの頭部の内側及び外側には飛散抑制部３５の内側板部３５１及び外側板部３５２が配置されることで、レールＲの頭頂面に撒かれた増粘着剤が内側及び外側にこぼれ落ちるのを抑制することができる。
【００４６】
なお、図示は省略するが、飛散抑制部３５は上下動可能となっており、例えば、レールＲ上の落葉を除去する作業（落葉除去工程）やレールＲの頭頂面の樹脂を洗い流す作業（樹脂洗浄工程）の際には、内側板部３５１及び外側板部３５２がレールＲと接触しないように、当該飛散抑制部３５は上側に退避される。
【００４７】
また、図示は省略するが、空転抑制装置１００は、上記した接触板部１１の上下動、液体噴射機構２のポンプの稼働、振動モータ３２１や回転モータ３３２の駆動、飛散抑制部３５の上下動等を制御するコントロールボックスを備えていても良い。なお、これらの電気的に制御される構成については、例えば、投排雪保守用車２００自身の制御手段（図示略）により統合して制御されても良い。
【００４８】
次に、本発明に係る空転抑制装置１００を用いた空転抑制方法について説明する。
本発明に係る空転抑制方法では、排障機構１を用いてレールＲ上の落葉を除去する落葉除去工程と、この落葉除去工程後に、液体噴射機構２を用いて液体（例えば、水等）を噴射してレールＲの頭頂面の樹脂を洗い流す樹脂洗浄工程と、この樹脂洗浄工程後に、増粘着剤撒き機構３を用いてレールＲの頭頂面に増粘着剤（例えば、焼砂等）を撒く増粘着剤撒き工程とが行われる。
【００４９】
また、落葉除去工程、樹脂洗浄工程及び増粘着剤撒き工程は、投排雪保守用車１００の走行中に行われるようになっている。具体的には、投排雪保守用車２００が軌道を一方向（例えば、図１における左方向等）に走行中に、落葉除去工程及び樹脂洗浄工程を行い、折り返して同一の軌道を他方向（例えば、図１における右方向等）に走行中に、増粘着剤撒き工程を行う。つまり、投排雪保守用車１００の前後方向の一端側（例えば、左側等）に搭載された空転抑制装置１００が用いられ、投排雪保守用車２００の保守対象となる軌道の往復走行における、その往路にて落葉除去工程及び樹脂洗浄工程を行い、復路にて増粘着剤撒き工程を行う。
【００５０】
例えば、投排雪保守用車１００の保守対象の軌道の往路にて落葉除去工程及び樹脂洗浄工程を行う場合、増粘着剤撒き機構３の飛散抑制部３５がレールＲと接触しないように上側に退避させた状態とする。
投排雪保守用車２００の一方向への走行が開始されると、先ず、排障機構１の接触板１１がレールＲの頭頂面を摺動してレールＲ上の落葉を除去していく（落葉除去工程）。そして、液体噴射機構２の液体ノズル２１からレールＲの頭頂面及び内側面に向けて所定の圧力で液体を噴射して、レールＲの頭頂面に付着している落葉の樹脂を洗い流していく（樹脂洗浄工程）。
この落葉除去工程及び樹脂洗浄工程は、投排雪保守用車２００が保守対象の軌道を一方向に走行中に継続して行われる。そして、投排雪保守用車２００が保守対象となる軌道の終点まで走行すると、液体ノズル２１からの液体の噴射を停止する。
【００５１】
投排雪保守用車１００が折り返して保守対象の軌道の復路にて増粘着剤撒き工程を行う場合、排障機構１の接触板１１がレールＲと接触しないように上側に退避させた状態とする。また、増粘着剤撒き機構３の振動部３２の振動モータ３２１を駆動して伝達フレーム３２２を介して貯留容器３１を振動させた状態とする。
投排雪保守用車２００の他方向への走行が開始されると、増粘着剤撒き機構３の送出部３３の回転モータ３３２を駆動して計量シャフト３３１を所定の速度で回転させることで、貯留容器３１内の増粘着剤を所定量ずつ増粘着剤ノズル３４側へと送り出し、増粘着剤ノズル３４からレールＲの頭頂面に対して増粘着剤を吐出していく（増粘着剤撒き工程）。このとき、振動部３２から貯留容器３１に振動が付与されているので、貯留容器３１内部の増粘着剤が固まらないように振動させながら増粘着剤を撒くことができる。また、増粘着剤ノズル３４よりも投排雪保守用車２００の進行方向後側に配置された飛散抑制部３５によって、増粘着剤がレールＲの頭頂面から当該レールＲの内側及び外側にこぼれ落ちるのが抑制される。
この増粘着剤撒き工程は、投排雪保守用車２００が保守対象の軌道を他方向に走行中に継続して行われる。そして、投排雪保守用車２００が保守対象となる軌道の終点まで走行すると、増粘着剤ノズル３４からの増粘着剤の吐出を停止する。
【００５２】
以上のように、本実施形態の空転抑制装置１００によれば、レールＲ上の落葉を除去してからレールＲに付着した落葉の樹脂を洗浄することができ、その後、レールＲの頭頂面に増粘着剤を撒くことでレールＲに対する鉄道車両の車輪の粘着力を向上させることができる。このとき、貯留容器３１内部の増粘着剤が固まらないように振動させながら増粘着剤を撒くので、貯留容器３１内部の増粘着剤が固まってしまうことを抑制することができる。特に、例えば、液体を噴射する液体噴射機構２から生じた湿気が貯留容器３１内部で結露して増粘着剤が固化してしまうことを適正に抑制することができ、増粘着剤ノズル３４から増粘着剤を安定して吐出することができる。
したがって、落葉が付着したレールＲの清掃及びレールＲに対する車輪の粘着力の向上を効率良く行うことができ、これにより、鉄道車両の車輪の空転を適正に抑制することができる。
【００５３】
また、増粘着剤ノズル３４は、レールＲの頭頂面に対して斜め上方向から増粘着剤を吐出するので、増粘着剤ノズル３４からレールＲの頭頂面に吐出された増粘着剤がレールＲの頭頂面から当該レールＲの内側や外側にこぼれ落ちることを抑制することができる。
さらに、レールＲの側方に配置された飛散抑制部３５を用いてレールＲの頭頂面の増粘着剤がレールＲの内側や外側にこぼれ落ちることを適正に抑制することができる。
【００５４】
また、増粘着剤撒き機構３は、貯留容器３１内の増粘着剤を増粘着剤ノズル３４側に送り出す送出部３３を有しているので、増粘着剤ノズル３４は送出部３３の稼働により所定量ずつ送り出された増粘着剤を吐出することができ、レールＲの頭頂面に増粘着剤を均等に撒くことができる。
【００５５】
また、レールＲの頭頂面に接触して、この頭頂面上の落葉を除去する接触板部１１は、レールＲと交わるように配置されるとともに、レールＲよりも外側となる外側端部１１ｏがレールＲよりも内側となる内側端部１１ｉに対して投排雪保守用車２００の進行方向後側に、且つ、レールＲの頭頂面に接触する下端部１１ｂが上端部１１ｕに対して投排雪保守用車２００の進行方向後側に位置するように傾斜しているので、レールＲ上の落葉は接触板部１１によりレールＲの外側に落とされることとなり、レールＲ上の落葉の除去を適正に行うことができる。
【００５６】
また、液体ノズル２１はレールＲの頭頂面及び内側面に向けて液体を放射状に拡散させて噴射するので、鉄道車両の車輪が接触するレールＲの頭頂面及び内側面に付着した落葉の樹脂を適正に洗い流すことができる。
【００５７】
また、投排雪保守用車２００の走行中に、落葉除去工程、樹脂洗浄工程及び増粘着剤撒き工程が行われるので、投排雪保守用車２００の走行中に、レールＲ上の落葉の除去、レールＲに付着した落葉の樹脂の洗浄、レールＲの頭頂面に増粘着剤を撒くことを効率良く行うことができる。特に、投排雪保守用車２００の軌道の往復走行における往路と復路とに、落葉除去工程及び樹脂洗浄工程と増粘着剤撒き工程とを分けて効率良く行うことができる。
【００５８】
なお、本発明の適用は上述した実施形態に限定されることなく、本発明の趣旨を逸脱しない範囲で適宜変更可能である。
例えば、図示は省略するが、増粘着剤撒き機構３の貯留容器３１等に湿気が侵入することを抑制するために、貯留容器３１や送出部３３を被覆部材（例えば、防水シート等）で被覆するようにしても良い。
【符号の説明】
【００５９】
１００  空転抑制装置
１      排障機構
１１    接触板部
２      液体噴射機構
２１    液体ノズル
３      増粘着剤撒き機構
３１    貯留容器
３２    振動部
３３    送出部
３４    増粘着剤ノズル
３５    飛散抑制部
２００  投排雪保守用車
Ｒ      レール
【図１】
0006514971.tif 000002
【図２】
0006514971.tif 000003
【図３】
0006514971.tif 000004
【図４】
0006514971.tif 000005
【図５】
0006514971.tif 000006
【図６】
0006514971.tif 000007